(57)【要約】【課題】住宅において自在に施工および取り外し可能とする間仕切において、その取付けおよび位置変えの施工を容易にするとともに、美観を向上させることを課題とする。【解決手段】天井および床にそれぞれ配設される係合部材２・３と、該係合部材間に配設されるパネル１とにより構成される間仕切であって、前記パネル１の上部に上下方向に摺動可能な係合部１４を有し、パネル１の下部にパネルの高さ調節部１５を有し、前記パネルの係合部１４が天井の係合部材２に係合可能であり、前記パネルの高さ調節部１５が床の係合部材３上に載置可能であり、パネル１の下部に巾木４が装着可能である間仕切を構成する。【選択図】図３
2006037637.tif 000002
【特許請求の範囲】
【請求項１】
天井および床にそれぞれ配設される係合部材と、該係合部材間に配設されるパネルとにより構成される間仕切であって、
前記パネルの上部に上下方向に摺動可能な係合部を有し、パネルの下部にパネルの高さ調節部を有し、
前記パネルの係合部が天井の係合部材に係合可能であり、
前記パネルの高さ調節部が床の係合部材上に載置可能であり、
前記パネルの下部に巾木が装着可能であることを特徴とする間仕切。
【請求項２】
前記巾木を、パネル下部に係合し該パネルに対して上下摺動可能な取付部材を介して装着することを特徴とする請求項１に記載の間仕切。
【請求項３】
前記床に配設される係合部材が、パネルの下部に装着される巾木間に位置することを特徴とする請求項１または２に記載の間仕切。
【請求項４】
天井および床にそれぞれ配設される係合部材と、該係合部材間に配設されるパネルとにより構成される間仕切であって、
天井に配設されてパネルの上部に係合する係合部材に、パネルを下方に付勢する付勢手段を設け、
該付勢手段が、フレームおよび該フレームに取付けられた板体により構成されるパネルの板体に当接することを特徴とする間仕切。
【請求項５】
天井および床にそれぞれ係合部材を配設して、パネルを係合部材間に配設する間仕切の施工方法であって、
上部に上下方向に摺動可能な係合部を有し、下部にパネルの高さ調節部を有するパネルを、該パネルの係合部を天井の係合部材に係合させるとともに、前記パネルの高さ調節部を床の係合部材上に載置して、係合部材間に配設し、
パネル下部に巾木を装着することを特徴とする間仕切の施工方法。
【発明の詳細な説明】
【技術分野】
【０００１】
本発明は、簡易に施工可能な間仕切に関するものであり、より詳しくは上下に取付け用の係合部材を配して容易に取付けおよび取り外しが行える間仕切パネルの構造および施工方法に関するものである。
【背景技術】
【０００２】
従来、取付け性を向上させることを目的とした間仕切の構造としては、上下端に昇降可能な滑り止めを備えた間仕切パネルが知られている（特許文献１を参照）。これは、天井面と床面に密着させることにより間仕切パネルを天井と床との間で自立させるものである。この間仕切パネルには調整機構が上部に設けられており、パネル面に設けられた調整口からこの調整機構を操作して間仕切パネルを天井と床に押し付けるものである。
さらに、天井面および床面に凹溝を取付け、この凹溝に間仕切パネルの端部を挿入して上下を固定するものも知られている（特許文献２を参照）。これは、凹溝に間仕切パネルの上下端を挿入して、凹溝間において間仕切パネルを保持するものである。
【特許文献１】特開平１０−１５９２２０号公報
【特許文献２】特開２００１−１１５５８９号公報
【発明の開示】
【発明が解決しようとする課題】
【０００３】
しかし、特許文献１および特許文献２に記載された間仕切パネルにおいては、間仕切パネルの上端部および下端部において美観を向上させることが困難である。特許文献１においては調整機構を操作するための部位が露出するとともに、調整機構も露出しやすい。特許文献２においては凹溝が間仕切パネルを保持するものとなるため、凹溝を保持するための強度が優先され、デザインの巾が狭められる。
そして、取付けにおいても、特許文献１に記載されたものにおいては、上端および下端における調節に労力が必要であるとともに、取付け作業にかかる時間が多く必要となる。特許文献２に記載されたもにおいては、凹溝が間仕切パネルの外側に位置するので、凹溝自体が間仕切パネルを取付けるための空間において障害となりやすく、取付け作業の作業効率を低下させる可能性がある。
【課題を解決するための手段】
【０００４】
本発明は、上記の課題を解決すべく次のような手段をとるものである。
すなわち、請求項１に記載のごとく、天井および床にそれぞれ配設される係合部材と、該係合部材間に配設されるパネルとにより構成される間仕切であって、前記パネルの上部に上下方向に摺動可能な係合部を有し、パネルの下部にパネルの高さ調節部を有し、前記パネルの係合部が天井の係合部材に係合可能であり、前記パネルの高さ調節部が床の係合部材上に載置可能であり、前記パネルの下部に巾木が装着可能である間仕切を構成する。
【０００５】
請求項２に記載のごとく、前記巾木を、パネル下部に係合し該パネルに対して上下摺動可能な取付部材を介して装着する構成とする。
【０００６】
請求項３に記載のごとく、前記床に配設される係合部材が、パネルの下部に装着される巾木間に位置する構成とする。
【０００７】
請求項４に記載のごとく、天井および床にそれぞれ配設される係合部材と、該係合部材間に配設されるパネルとにより構成される間仕切であって、天井に配設されてパネルの上部に係合する係合部材に、パネルを下方に付勢する付勢手段を設け、該付勢手段が、フレームおよび該フレームに取付けられた板体により構成されるパネルの板体に当接する構成とする。
【０００８】
請求項５に記載のごとく、天井および床にそれぞれ係合部材を配設して、パネルを係合部材間に配設する間仕切の施工方法であって、上部に上下方向に摺動可能な係合部を有し、下部にパネルの高さ調節部を有するパネルを、該パネルの係合部を天井の係合部材に係合させるとともに、前記パネルの高さ調節部を床の係合部材上に載置して、係合部材間に配設し、パネル下部に巾木を装着する。
【発明の効果】
【０００９】
本発明を用いることにより、間仕切りの取付けを容易にするとともに、取付けられた間仕切の美観を向上させるものである。
【００１０】
請求項１に記載のごとく、天井および床にそれぞれ配設される係合部材と、該係合部材間に配設されるパネルとにより構成される間仕切であって、前記パネルの上部に上下方向に摺動可能な係合部を有し、パネルの下部にパネルの高さ調節部を有し、前記パネルの係合部が天井の係合部材に係合可能であり、前記パネルの高さ調節部が床の係合部材上に載置可能であり、前記パネルの下部に巾木が装着可能であるので、間仕切の取付が容易であるとともに、パネルのガタツキを抑制して、静粛性の高い間仕切を構成できる。
【００１１】
請求項２に記載のごとく、前記巾木を、パネル下部に係合し該パネルに対して上下摺動可能な取付部材を介して装着する構成とすることにより、取付けが容易となるとともに、美観にも優れた間仕切を構成できる。
【００１２】
請求項３に記載のごとく、前記床に配設される係合部材が、パネルの下部に装着される巾木間に位置する構成とすることにより、巾木を装着しやすく、利用可能の巾木の選択範囲が広くなる。また巾木を装着した間仕切の美観を向上できる。
【００１３】
請求項４に記載のごとく、天井および床にそれぞれ配設される係合部材と、該係合部材間に配設されるパネルとにより構成される間仕切であって、天井に配設されてパネルの上部に係合する係合部材に、パネルを下方に付勢する付勢手段を設け、該付勢手段が、フレームおよび該フレームに取付けられた板体により構成されるパネルの板体に当接する構成とすることにより、取付けおよび取り外しが容易であるとともに、パネルのガタツキを抑制して騒音の発生しにくい間仕切を構成できる。
【００１４】
請求項５に記載のごとく、天井および床にそれぞれ係合部材を配設して、パネルと係合部材間に配設する間仕切の施工方法であって、上部に上下方向に摺動可能な係合部を有し、下部にパネルの高さ調節部を有するパネルを、該パネルの係合部を天井の係合部材に係合させるとともに、前記パネルの高さ調節部を床の係合部材上に載置して、係合部材間に配設し、パネル下部に巾木を装着する間仕切の施工方法を用いることにより、間仕切りの施工が容易であるとともに、床や天井にあたえる影響を少なくできる。さらに、間仕切の美観を向上できる。
【発明を実施するための最良の形態】
【００１５】
間仕切パネル上端部に弾性部材を設け、下部に高さ調節装置を設け、天井に取付けたレースと、床に配設したランナーとの間に間仕切パネルを配設する。
【実施例１】
【００１６】
本発明の実施例について、図を用いて説明する。
図１は間仕切パネルの配設構成を示す図であり、図２は同じく間仕切パネルの構成を示す図であり、図２（ａ）は格子状のフレームを有する例を示す図であり、図２（ｂ）はラダー状フレームを有する例を示す図である。
間仕切パネル１は、天井レース２と床用ランナー３との間に配設されるものである。天井レース２と床用ランナー３は、ともに間仕切パネル１に係合する係合部材である。天井レース２は天井面に固定され、この天井レース２の直下に床用ランナー３が配設され床に固定される。間仕切パネル１は、上端を天井レース２に係合させた状態で、床用ランナー３上に載置されて固定されるものである。
間仕切パネル１の下部には巾木４が取付けられ、間仕切パネル１の下部の保護を行うとともに床の収まりをよくするものである。
【００１７】
間仕切パネル１は、図２に示すごとく、フレーム１１、吸音材１２、板体１３・１３により構成されている。図２（ａ）において、フレーム１１は、上下左右の部材により格子状に構成されており、フレーム１１を構成する部材の間には吸音材１２が配設される。また、図２（ｂ）に示すごとく、フレーム１１は「目」字状もしくはラダー状に構成したものを用いることができるものである。
そして、フレーム１１の両面には板体１３・１３が取付けられるものである。本実施例においては、フレーム１１はコ型鋼を組んだ鋼製枠により構成されるものであり、吸音材１２は、ポリスチレンフォームにより構成されるものである。板体１３としては、中質繊維板（ＭＤＦ）、珪酸カルシウム板、鋼板などを用いることができるものである。
【００１８】
フレーム１１の上端には天井レース２と係合する係合部１４設けられており、係合部１４は、一定範囲内でフレーム１１に対して上下に摺動自在に構成されている。フレーム１１の下端には床用ランナー３上において間仕切パネル１の固定を行うアジャスタ１５が設けられている。アジャスタ１５は、間仕切パネル１の高さ調節部であり、床からの間仕切パネル１の高さを調節可能とするものである。間仕切パネル１の係合部１４を天井レース２に係合させ、床用ランナー３上においてアジャスタ１５により間仕切パネル１の下端の高さを調節して間仕切パネル１を固定するものである。
【００１９】
次に、間仕切パネルの構成について、より詳しく説明する。
図３は間仕切パネルの内部構成を示す側面断面図であり、図４は天井レースおよび間仕切パネルの係合部の構成を示す側面断面図であり、図５は天井レースと間仕切パネルの係合部との係合状態を示す側面断面図である。そして、図６は間仕切パネルの下部の構成を示す側面断面図であり、図７は巾木の装着構成を示す側面断面図である。
間仕切パネル１は、天井レース２に係合するとともに、床用ランナー３に当接した状態で固定されるものであり、下部に巾木４・４が装着されるものである。係合部１４およびアジャスタ１５は、フレーム１１に接続するものである。
そして、巾木４は、取付部材１７を介して間仕切パネル１に装着されるものであり、取付部材１７は、間仕切パネル１の下部においてフレーム１１を挟持することにより取付けられるものである。
【００２０】
巾木４の裏側面には突起が設けられており、取付部材１７の表側には溝が設けられている。巾木４の突起を取付部材１７の溝に挿入することにより、巾木４が取付部材１７に保持されるものである。取付部材１７は、間仕切パネル１に対して上下動可能に構成されており、取付部材１７の下部が床用ランナー３に係合するとともに、巾木４の下端が床に当接した状態をとることができるものである。
これにより、巾木４が間仕切パネル１の下部において確実に床に当接した状態で保持されるものである。
【００２１】
係合部１４と天井レース２との間には天井レース２に沿って空間が形成されるものであり、この空間に配線１６を配置可能となるものである。すなわち、天井レース２に沿って間仕切パネル１の上部に配線を通し、容易に配線の設置を行うことも可能となる。なお、間仕切パネル１の下部において、巾木４・４間の空間に配線を通すことも可能である。
天井レース２の中央には断面視逆Ｕ字状の突出部２１が構成されており、突出部２１の外側には気密材２２が配設されている。気密材２２は板バネなどにより構成され、間仕切パネル１を下方に付勢するものである。突出部２１は、間仕切パネル１の係合部１４に構成される凹部と係合するものであり、気密材２２は、間仕切パネル１に当接して下方に付勢するものである。気密材２２は、係合部１４、フレーム１１および板体１３に当接して間仕切パネル１下部の気密性を確保するものである。
【００２２】
係合部１４は、上方に開口した凹部を有する当接体１４ｂとストッパ１４ｃとバネ１４ｄとにより構成されている。当接体１４ｂは、断面視Ｍ字状に構成されており、中央の凹部に前述の突出部２１が挿入され当接するものである。当接体１４ｂは、フレーム１１に対して上下にスライド可能に構成されており、当接体１４ｂの下面にはバネ１４ｄが当接している。バネ１４ｄは、当接体１４ｂに一端を固定されたストッパ１４ｃに挿嵌されるものであり、当接体１４ｂをフレーム１１に対して上方に付勢するものである。
なお、バネ１４ｄは、当接体１４ｂを上方に付勢可能であればよく、バネやゴムなどの弾性体を用いることができるものである。
ストッパ１４ｃの上端は、当接体１４ｂに固定されており、下端は、フレーム１１に挿入されナットが螺装されることによりフレーム１１より抜けない構成となっている。このように係合部１４を構成することにより、当接体１４ｂがフレーム１１に上下にスライド自在になるとともに、フレーム１１より抜け落ちない構成となるものである。
【００２３】
図５に示すごとく、間仕切パネル１を上方に押し付けることにより、係合部１４が下方にスライドして間仕切パネル１の上部が天井レース２に当接する。この状態において係合部１４のバネ１４ｄおよび天井レース２の気密材２２が圧縮されて、間仕切パネル１を下方に押し付ける付勢力を発生させるものである。これにより、間仕切パネル１の取付け剛性を向上できるものであり、振動などにより間仕切パネル１がノイズを発生しにくくなるものである。
天井レース２の断面視における端部は、垂直下方に突出部２ｂを構成しており、この突出部２ｂ・２ｂの間に間仕切パネル１の上端が挿入される構成となるものである。これにより、間仕切パネル１の正面方向に力がかかる場合においても間仕切パネル１の上部が天井レース２より外れにくくなるものである。
端部に設けられた突出部２ｂは、突出部２１より短く構成されており、間仕切の上部において目立たない構成となっている。また、間仕切りの意匠的なアクセントとして用いる場合もあり、間仕切りのデザイン性を向上させるものである。突出部２１により間仕切パネル１のフレーム１１を位置決めし、突出部２ｂにより板体１３の押さえを行うものである。フレーム１１を押さえる突出部２１を間仕切パネル１の厚み内に配置することにより、外から見えなくして間仕切の外観をよくするものであり、間仕切のデザイン性の向上を図るものである。
また、天井レース２の突起部２１内側において配線１６用の空間を確保できるものである。
【００２４】
次に、間仕切パネル１の下部の構成について説明する。
図６に示すごとく、間仕切パネル１の下部にはアジャスタ１５が設けられており、間仕切パネル１のフレーム１１に接続している。アジャスタ１５は、脚３３、ネジ３１、ネジ３１と一体的に構成したナット３１ｂ、ナット３２により構成されている。ネジ３１の下端は、脚３３が接続されるとともに、ネジ３１にはナット３２が螺装されている。ネジ３２はフレーム１１に回動自在に装着されており、フレーム１１はナット３２を介してネジ３１により位置決めされる。このため、ネジ３１と一体になっているナット３１ｂをフレーム１１に対して回動させることにより、脚３３に対するフレーム１１の位置を調節できるものである。
ネジ３１にはナット３２が螺装されており、フレーム１１とナット３２はフリー回転できる構成となっている。ネット３２にネジ３１を螺装することにより、ネジ３１をフレーム１１に対して固定できるものである。脚３３は、床用ランナー３上に配設されるものであり、脚３３からフレーム１１までの距離を調節して間仕切パネル１の床に対する高さを調節できるものである。また、脚３３上に配置した状態でアジャスタ１５を調節するので調節を容易に行えるとともに、間仕切パネル１の取付け作業において床面を傷つけ難い構成となっている。
【００２５】
間仕切パネル１の下部には巾木４が装着されるものである。巾木４は、間仕切パネル１の下部に取付けられた取付部材１７を介して装着される。取付部材１７は、本体１７ａ、付勢部材１７ｂにより構成されている。付勢部材１７ｂは、フレーム１１の内側より外側に付勢力を与えるものであり、フレーム１１の外側に位置する本体１７ａとにより取付部材１７がフレーム１１を挟持する構成となる。
【００２６】
本体１７ａの正面側には巾木４を取付けるための溝１７ｃ・１７ｃが設けられており、下面には床用ランナー３と係合するための溝１７ｄが設けられている。床用ランナー３と本体１７ａとが係合することにより、取付部材１７下部の位置決めがされるとともに、取付部材１７がぐらつかない構成となる。そして、間仕切パネル１および床用ランナー３に取付けられた状態で、取付部材１７が巾木４を装着することとなり、巾木４を確実に保持することができるものである。
【００２７】
床用ランナー３の幅は、間仕切パネル１の厚み内に収まる構成となっており、巾木４を装着することにより、確実に隠れる構成となっている。また、床用ランナー３は、取付部材１７の位置決めを兼ねるものであり、取付部材１７を介して巾木４の下部を確実に床用ランナー３に合わせて位置決めを行うことができる。このため、間仕切の仕上がり状態における品質を向上できるものである。
【産業上の利用可能性】
【００２８】
本発明は、単に住宅ばかりではなく各種の空間を区切るための設備に用いることが可能となるものである。
【図面の簡単な説明】
【００２９】
【図１】間仕切パネルの配設構成を示す図。
【図２】同じく間仕切パネルの構成を示す図。
【図３】間仕切パネルの内部構成を示す側面断面図。
【図４】天井レースおよび間仕切パネルの係合部の構成を示す側面断面図。
【図５】天井レースと間仕切パネルの係合部との係合状態を示す側面断面図。
【図６】間仕切パネルの下部の構成を示す側面断面図。
【図７】巾木の装着構成を示す側面断面図。
【符号の説明】
【００３０】
１    間仕切パネル
２    天井レース
３    床用ランナー
４    巾木
１１    フレーム
１３    板体
１４    係合部
１５    アジャスタ
１６    配線
１７    取付部
【図１】
2006037637.tif 000003
【図２】
2006037637.tif 000004
【図３】
2006037637.tif 000005
【図４】
2006037637.tif 000006
【図５】
2006037637.tif 000007
【図６】
2006037637.tif 000008
【図７】
2006037637.tif 000009